(57)【要約】【課題】  専門的な知識を要することなく、経営分析を行うことができる経営分析支援システムを提供すること。【解決手段】  地図画面上に表示された複数の顧客あるいは圃場の位置に、これらの顧客あるいは圃場毎の収穫高あるいは生産高をグラフ表示する。表示された収穫高あるいは生産高グラフから、収穫高あるいは生産高が高い第１の顧客あるいは圃場を選択し、この第１の顧客あるいは圃場に関する詳細履歴データを表示する。前記収穫高あるいは生産高グラフから、収穫高あるいは生産高が前記第１の顧客あるいは圃場より低い第２の顧客あるいは圃場を選択し、この第２の顧客あるいは圃場に関する詳細履歴データを表示する。これらの詳細履歴データを比較することにより、経営分析を支援する。【選択図】  図４
2006277321.tif 000002
【特許請求の範囲】
【請求項１】
地図画面上に表示された複数の顧客あるいは圃場の位置に、これらの顧客あるいは圃場毎の収穫高あるいは生産高をグラフ表示する手段と、この手段により表示された収穫高あるいは生産高グラフから、収穫高あるいは生産高が高い第１の顧客あるいは圃場を選択する手段と、この選択手段により選択された第１の顧客あるいは圃場に関する詳細履歴データを表示する手段と、前記収穫高あるいは生産高グラフから、収穫高あるいは生産高が前記第１の顧客あるいは圃場より低い第２の顧客あるいは圃場を選択する手段と、この選択手段により、選択された第２の顧客あるいは圃場に関する詳細履歴データを表示する手段と、を備えたことを特徴とする経営分析支援システム。
【請求項２】
前記第１の顧客あるいは圃場を選択する手段、あるいは前記第２の顧客あるいは圃場を選択する手段は、前記地図画面上に表示された前記第１の顧客あるいは前記第２の顧客の位置をカーソルにより指示することによりおこなわれることを特徴とする請求項１記載の経営分析支援システム。
【請求項３】
前記顧客あるいは圃場毎の収穫高あるいは生産高を示すグラフ表示は、収穫高あるいは生産高の過去数年間の履歴を示すグラフであることを特徴とする請求項２記載の経営分析支援システム。
【請求項４】
前記顧客あるいは圃場に関する詳細履歴データは、訪問予定、訪問実績、作付け時期、収穫時期、収穫高、生産高、販売高、購買高、作付け品種、施肥品種、施肥量、土壌種別、注水量、日照時間、生育丈、生育株数の少なくも１項目を含み、これらの項目毎に、実施月日、実施回数、実施量額、積算量額、計測量数、名称の少なくも１つを含んでいることを特徴とする請求項３記載の経営分析支援システム。
【請求項５】
前記顧客あるいは圃場に関する詳細履歴データは、前記地図画面上に表示された複数の顧客あるいは圃場の位置を前記カーソルにより指示することにより、入力画面が表示されることを特徴とする請求項４記載の経営分析支援システム。
【請求項６】
前記地図画面上に表示された複数の顧客あるいは圃場の位置を順次指示することにより、前記複数の顧客あるいは圃場のいくつかの顧客あるいは圃場に対する経営指導員による訪問予定の前記地図画面上への登録表示および訪問記録のための入力画面が表示されることを特徴とする請求項５記載の経営分析支援システム。
【請求項７】
地図画面上に表示された複数の顧客あるいは圃場の位置に、これらの顧客あるいは圃場毎の収穫高あるいは生産高をグラフ表示するステップと、このステップにより表示された収穫高あるいは生産高グラフから、収穫高あるいは生産高が高い第１の顧客あるいは圃場を選択するステップと、この選択ステップにより選択された第１の顧客あるいは圃場に関する詳細履歴データを表示するステップと、前記収穫高あるいは生産高グラフから、収穫高あるいは生産高が前記第１の顧客あるいは圃場より低い第２の顧客あるいは圃場を選択するステップと、この選択ステップにより、選択された第２の顧客あるいは圃場に関する詳細履歴データを表示するステップと、を備えたことを特徴とする経営分析支援方法。
【請求項８】
前記第１の顧客あるいは圃場を選択するステップ、あるいは前記第２の顧客あるいは圃場を選択するステップは、前記地図画面上に表示された前記第１の顧客あるいは前記第２の顧客の位置をカーソルにより指示することによりおこなわれることを特徴とする請求項７記載の経営分析支援方法。
【請求項９】
前記顧客あるいは圃場毎の収穫高あるいは生産高を示すグラフ表示は、収穫高あるいは生産高の過去数年間の履歴を示すグラフであることを特徴とする請求項８記載の経営分析支援方法。
【請求項１０】
前記顧客あるいは圃場に関する詳細履歴データは、訪問予定、訪問実績、作付け時期、収穫時期、収穫高、生産高、販売高、購買高、作付け品種、施肥品種、施肥量、土壌種別、注水量、日照時間、生育丈、生育株数の少なくも１項目を含み、これらの項目毎に、実施月日、実施回数、実施量額、積算量額、計測量数、名称の少なくも１つを含んでいることを特徴とする請求項９記載の経営分析支援方法。
【請求項１１】
前記顧客あるいは圃場に関する詳細履歴データは、前記地図画面上に表示された複数の顧客あるいは圃場の位置を前記カーソルにより指示することにより表示される入力画面を用いて入力することを特徴とする請求項１０記載の経営分析支援方法。
【請求項１２】
前記地図画面上に表示された複数の顧客あるいは圃場の位置を順次指示することにより表示される入力画面を用いて、前記複数の顧客あるいは圃場のいくつかの顧客あるいは圃場に対する経営指導員による訪問予定の前記地図画面上への登録表示および訪問記録のための入力を行うことを特徴とする請求項１１記載の経営分析支援方法。
【発明の詳細な説明】
【技術分野】
【０００１】
本発明は、事業者の経営状況の分析を支援する経営分析支援システムに関し、特に、地図情報を利用した農業の経営分析を支援するシステムに関する。
【背景技術】
【０００２】
市町村等の一定の地域や地区の中で、同業種の事業経営、例えば農業あるいは畜産業等を営む複数の農家を組合員または顧客とする農業協同組合は、これらの農家の農業経営に対して各種の設備あるいは苗種、肥料等農業に必要な生産原材料の供給、収穫物の流通販売あるいは農業技術の指導等、各種のサービスを行っている。また、農業協同組合には、これらのサービスに加えて、各農家に対して農業経営についてのコンサルタント業務も期待されている。
【０００３】
このため、協同組合の職員や指導専任員が、組合員毎の事業状況の分析とそれに基づくアドバイスを行っている。
【発明の開示】
【発明が解決しようとする課題】
【０００４】
しかし従来の経営分析業務は、専ら協同組合の職員や指導専任員の深い経験と専門的な知識に依存するものであり、平均的な知識経験水準の職員や指導専任員には適確な分析とそれに基づく適切なアドバイスを行うことは困難であった。
【０００５】
本発明は上記の問題点に鑑みてなされたもので、平均的な知識経験水準の職員や指導専任員によっても農業等の事業経営の分析を的確に行うことができるとともに、その分析結果に基づいて適切なアドバイスを行うことを可能とする経営分析の支援ツールとしての経営分析支援システムを提供することを目的とするものである。
【課題を解決するための手段】
【０００６】
本発明の経営分析支援システムは、地図画面上に表示された複数の顧客あるいは圃場の位置に、これらの顧客あるいは圃場毎の収穫高あるいは生産高をグラフ表示する手段と、この手段により表示された収穫高あるいは生産高グラフから、収穫高あるいは生産高が高い第１の顧客あるいは圃場を選択する手段と、この選択手段により選択された第１の顧客あるいは圃場に関する詳細履歴データを表示する手段と、前記収穫高あるいは生産高グラフから、収穫高あるいは生産高が前記第１の顧客あるいは圃場より低い第２の顧客あるいは圃場を選択する手段と、この選択手段により、選択された第２の顧客あるいは圃場に関する詳細履歴データを表示する手段と、を備えたことを特徴とするものである。
【０００７】
また、本発明の経営分析支援システムにおいては、前記第１の顧客あるいは圃場を選択する手段、あるいは前記第２の顧客あるいは圃場を選択する手段は、前記地図画面上に表示された前記第１の顧客あるいは前記第２の顧客の位置をカーソルにより指示することによりおこなわれることを特徴とするものである。
【０００８】
さらに、本発明の経営分析支援システムにおいては、前記顧客あるいは圃場毎の収穫高あるいは生産高を示すグラフ表示は、収穫高あるいは生産高の過去数年間の履歴を示すグラフであることを特徴とするものである。
【０００９】
さらに、本発明の経営分析支援システムにおいては、前記顧客あるいは圃場に関する詳細履歴データは、訪問予定、訪問実績、作付け時期、収穫時期、収穫高、生産高、販売高、購買高、作付け品種、施肥品種、施肥量、土壌種別、注水量、日照時間、生育丈、生育株数の少なくも１項目を含み、これらの項目毎に、実施月日、実施回数、実施量額、積算量額、計測量数、名称の少なくも１つを含んでいることを特徴とするものである。
【００１０】
さらに、本発明の経営分析支援システムにおいては、前記顧客あるいは圃場に関する詳細履歴データは、前記地図画面上に表示された複数の顧客あるいは圃場の位置を前記カーソルにより指示することにより、入力画面が表示されることを特徴とするものである。
【００１１】
さらに、本発明の経営分析支援システムにおいては、前記地図画面上に表示された複数の顧客あるいは圃場の位置を順次指示することにより、前記複数の顧客あるいは圃場のいくつかの顧客あるいは圃場に対する経営指導員による訪問予定の前記地図画面上への登録表示および訪問記録のための入力画面が表示されることを特徴とするものである。
【００１２】
本発明の経営分析支援方法は、地図画面上に表示された複数の顧客あるいは圃場の位置に、これらの顧客あるいは圃場毎の収穫高あるいは生産高をグラフ表示するステップと、このステップにより表示された収穫高あるいは生産高グラフから、収穫高あるいは生産高が高い第１の顧客あるいは圃場を選択するステップと、この選択ステップにより選択された第１の顧客あるいは圃場に関する詳細履歴データを表示するステップと、前記収穫高あるいは生産高グラフから、収穫高あるいは生産高が前記第１の顧客あるいは圃場より低い第２の顧客あるいは圃場を選択するステップと、この選択ステップにより、選択された第２の顧客あるいは圃場に関する詳細履歴データを表示するステップと、を備えたことを特徴とするものである。
【００１３】
本発明の経営分析支援方法においては、前記第１の顧客あるいは圃場を選択するステップ、あるいは前記第２の顧客あるいは圃場を選択するステップは、前記地図画面上に表示された前記第１の顧客あるいは前記第２の顧客の位置をカーソルにより指示することによりおこなわれることを特徴とするものである。
【００１４】
また、本発明の経営分析支援方法においては、前記顧客あるいは圃場毎の収穫高あるいは生産高を示すグラフ表示は、収穫高あるいは生産高の過去数年間の履歴を示すグラフであることを特徴とするものである。
【００１５】
さらに、本発明の経営分析支援方法においては、前記顧客あるいは圃場に関する詳細履歴データは、訪問予定、訪問実績、作付け時期、収穫時期、収穫高、生産高、販売高、購買高、作付け品種、施肥品種、施肥量、土壌種別、注水量、日照時間、生育丈、生育株数の少なくも１項目を含み、これらの項目毎に、実施月日、実施回数、実施量額、積算量額、計測量数、名称の少なくも１つを含んでいることを特徴とするものである。
【００１６】
さらに、本発明の経営分析支援方法においては、前記顧客あるいは圃場に関する詳細履歴データは、前記地図画面上に表示された複数の顧客あるいは圃場の位置を前記カーソルにより指示することにより表示される入力画面を用いて入力することを特徴とするものである。
【００１７】
さらに、本発明の経営分析支援方法においては、前記地図画面上に表示された複数の顧客あるいは圃場の位置を順次指示することにより表示される入力画面を用いて、前記複数の顧客あるいは圃場のいくつかの顧客あるいは圃場に対する経営指導員による訪問予定の前記地図画面上への登録表示および訪問記録のための入力を行うことを特徴とするものである。
【発明の効果】
【００１８】
農業等の事業についての深い知識経験を有しない、平均的な知識経験レベルのアドバイザーによっても、事業経営についての的確な分析とそれに基づく適切なアドバイスを可能とする、経営分析支援システムが得られる。
【発明を実施するための最良の形態】
【００１９】
以下、本発明の経営分析支援システムの実施形態を図面により詳細に説明する。
【００２０】
図１は、本発明の経営分析支援システムの一実施形態を示すシステム構成図である。図２は、本実施形態の記憶装置部に構築されるデータベース手段の構成模式図である。
【００２１】
なお、本願発明の実施形態においては、コンサルタント業務の例として農業経営者である農家に対して、農業協同組合が行う場合に対して説明する。したがって、コンサルタント業務の顧客は農家である組合員であり、対象事業は農家が耕作する圃場での農業である。しかし本発明は、このような場合に限られるものではなく、農業以外の畜産業、林業、その他各種の事業経営にも適用可能である。
【００２２】
本実施形態の全体構成は、図１に示すように、処理コンピュータ本体１０と、これに接続された操作入力部であるキーボード２１およびマウス２２と、出力部として接続された表示モニタ２３およびプリンタ２４とからなる。処理コンピュータ本体１０には、操作入力部であるキーボード２１およびマウス２２が接続されている中央処理部１１を備えられている。この中央処理部１１には処理プログラム部１３、データベース記憶部１４、グラフィック処理部１５、出力インターフェース１６が、それぞれシステムバス１２を介して接続される。出力インターフェース１６には出力部の表示モニタ２３或いはプリンタ２４が接続されている。また、処理プログラム部１３は、アプリケーションプログラムとしての地図システム１３ｂ及び管理分析システム１３ｃと、これ等を載せて作動させるＯＳ（Ｏｐｅｒａｔｉｎｇ Ｓｙｓｔｅｍ）１３ａとを保持している。地図システム１３ｂはＧＩＳ（geographic information system：システム）が用いられる。
【００２３】
データベース記憶部１４は、図２に模式的に示すように、処理コンピュータ本体１０における処理の対象となるデータや参照する基本データが、それぞれ所定の記憶部に記憶蓄積される。記憶される基本データは、例えば地図表示データ３１、緯度経度データ及び大字小字データ３２、分析ツールデータ３３などであり、蓄積されるデータは、組合員データ４１、職員データ４２、圃場データ４３、土壌データ４４、品種データ４５、共同管理資料４６、分析結果データ３４などである。なお、一般的な事業経営の場合に蓄積されるデータは、上記のデータに変えて、顧客データ（４１）、設備・店舗データ（４３）、生産・販売データ（４４）、品目データ（４５）などが用いられる。
【００２４】
図３に、本実施形態の経営分析支援システムを用いた経営分析業務の処理手順概要を示す。この処理手順は、履歴及び実績の入力を行うステップＳ１、各種の分析を行うステップＳ２、そして評価及び資源投入計画を策定するステップＳ３からなる。
【００２５】
ステップＳ１では、訪問予定の登録（ステップＳ１ａ）、訪問（営業・指導）実績の登録（ステップＳ１ｂ）、及び生産（圃場）履歴の登録（ステップＳ１ｃ）など行う。この登録は、後述するように、管理分析システム１３ｃによりデータが作成され、データベース記憶部１４の所定の記憶部に蓄積される。
【００２６】
また、ステップＳ２では、同じく後述するように、管理分析システム１３ｃにより、生産高或いは収穫量を圃場毎に抽出し表示、或いは同地区内・別地区の組合員毎に抽出し表示、更には過去の履歴データを参照したグラフ化を行いこれの表示などが行われる。
【００２７】
これ等分析結果の表示により、良い成績、悪い成績の生産圃場或いは組合員を抽出して、過去の履歴のグラフも参照して、相違点を把握する。これ等の分析結果データは、データベース記憶部１４の所定の記憶部に蓄積する。
【００２８】
さらにステップＳ３では、同じく後述するように、管理分析システム１３ｃにより、当該組合員へ次期間の生産、作付け等の再資源投入に関する計画を提案し、事業の経営指導を行う。
【００２９】
図４は管理分析システム１３ｃによる上記各ステップＳ１〜Ｓ３のより具体的な処理を示すフローチャートであり、同図（ａ）は、本実施形態による履歴・実績入力の手順（ステップＳ１）を示すフローチャート、同図（ｂ）は本実施形態による各種の分析・評価投入計画作業における手順（Ｓ２、Ｓ３）のフローチャートである。また、図５は、本実施形態により実施される各種のデータ更新、データ分析、データ表示の各操作のサイトマップ（メニュー系譜）を示す図であり、図６は操作画面表示の一例である。
【００３０】
ステップＳ１は、農業協同組合の営農指導員のような職員が、対象としている地区の組合員に、日々訪問応対して行っている指導活動、営業情報を個人メモ、訪問履歴、圃場履歴として記録し、蓄積する最初の手順である。これは、職員が本実施形態の経営分析支援システムの操作入力部であるキーボード２１或いはマウス２２を操作して入力し、図４（ａ）のフローチャートに示すような手順により、これ等入力が編成されてデータとして、データベース記憶部１４の所定の記憶部にそれぞれが蓄積される。
【００３１】
すなわち、図４（ａ）のステップＳ１０により、図６（ａ）に示すログイン画面６１が表示され、画面左に表示された入力欄に、ユーザＩＤ６２、パスワード６３入力することにより使用権限者であることを確認し、ログインする。
【００３２】
ログインすると、ステップＳ１１で図６（ｂ）に示すメインメニュー画面６４が表示される。このメインメニュー画面６４の画面左には、「訪問予定」、「訪問実績」、「圃場分析」、「資料管理」、「データ管理」のメインメニューボタン６５が表示されており、これ等の一つを、カーソルで指定する。また左下には、組合員検索６６のダイアログボックスも表示されており、ここに訪問先組合員の名前或いは住所地区名を入力する。この入力データは、ウィンドウ画面により、当該組合員のデータとして直接表示することもできる。
【００３３】
本実施形態の経営分析支援システムにおけるメニュー構成は、図５のサイトマップ（メニュー系譜）にも示すように、「訪問予定」、「訪問実績」、「圃場分析」、「資料管理」、「データ管理」及び「組合員検索」からなり、それぞれのメニュー項目の下に、更に具体的な作業を行うためのメニュー項目が、メニューボタンとして設けられている。すなわち、「訪問予定」では本日の予定、今週の予定、（訪問をする地域の）地図、予定出力が、「訪問実績」では訪問の実績入力、（訪問済み地域）地図、日報出力、月報出力が、「圃場分析」では（収穫量）グラフ表示、地図メモ表示、訪問予定、土壌別表示、品種別表示が、「資料管理」では資料検索、資料登録が、「データ管理」では組合員マスタメンテナンス、圃場マスタメンテナンス、品種マスタメンテナンス、土壌マスタメンテナンス、指導員マスタメンテナンスが、そして「組合員情報」には個人メモ、訪問履歴、圃場履歴が、それぞれリンクされている。
【００３４】
ステップＳ１２では、これらのメニュー項目のいずれかをステップＳ１３ａ〜１３ｆとして選択し、対応するデータを入力する。このデータ入力操作においては、ステップＳ１４で、キー入力モードと地図入力モードのいずれかを選択することができる。
【００３５】
キー入力モードは、図７（ａ）に示すような一覧表画面７１を表示して、各項目事項ボックスにデータを直接入力する（ステップＳ１５ａ）。地図入力モードは、同図（ｂ）に示すような地図画面７２の対象の組合員宅マーク７４ａ、７４ｂ或いは圃場マーク７５ａ、７５ｂをカーソルで指示して、入力画面を呼び出して入力する（ステップＳ１５ｂ）。また、一覧表画面７１の地図アイコン７６、或いは地図画面７２の登録アイコン７７をクリックして、画面を交互に呼び出して入力することもできる。
【００３６】
地図入力モードにおける入力データは、データベース記憶部１４に記憶したデータに基づいて、地図上の位置と関連付けられる。すなわち、組合員情報のリストに含まれる居宅や圃場の住所表示による大字・小字情報は、緯度経度情報に変換され、データベース記憶部１４に記憶されている。この地図入力モードを用いることにより、例えば、新規組合員に関する組合員データとその圃場データの入力、或いは既存組合員を含む訪問予定の入力では、新規組合員と既存組合員の住居地や圃場との位置関係が容易に理解できる。
【００３７】
図８は「訪問予定」を入力する場合の操作方法を説明するための入力画面を示している。入力画面８１，８２，８３における地図上の組合員居宅のマーク８５ａ、８５ｂ、８５ｃを、訪問する順にカーソルでクリックすると、画面右側の登録ウィンドウ８６ａ、８６ｂ、８６ｃが表示され、このウィンドウの登録マーク８８をクリックすると組合員名が順次登録される。所望の組合員を登録が終わると、一覧表画面８４の表示に切り替えられる。一覧表画面８４においては、登録された訪問予定組合員が順に記入された訪問一覧表８７が表示される。この訪問一覧表８７の空欄に訪問時刻、訪問理由等、必要な事項・データを追加して、「訪問予定」８９の作成・登録が完了できる。
【００３８】
図４のステップＳ１６で、所望の事項の入力、更新が完了するまで、メニューの項目を選択して（ステップＳ１２）入力を行う手順を繰り返す。
【００３９】
所望の入力、更新が終われば、ステップＳ１７で入力したデータの印刷出力を必要に応じて行う。
【００４０】
上述のように、ステップＳ１は、指導員或いは職員が行う日々の営業活動、訪問、巡回時の状況視察、生産・収穫物の出荷などの機会毎に、データを収集・集積することになる。なお、この様にして入力される項目は、前述したように、例えば、訪問予定、訪問実績、作付け時期、収穫時期、収穫高、生産高、販売高、購買高、作付け品種、施肥品種、施肥量、土壌種別、注水量、日照時間、生育丈、生育株数などである。またこれ等の項目に対応するデータは、実施月日、実施回数、実施量額、積算量額、計測量数、名称などである。
【００４１】
さらに、収穫時期や作付け時期などの節目では、図３のステップＳ２に示す経営分析のための各種の分析を行なう。この分析の具体的な手順は、図４（ｂ）のフローチャートに示されている。すなわち、先ずステップＳ２１で、図６（ａ）のログイン画面６１によりログインする。
【００４２】
つぎのステップＳ２２では、同図（ｂ）に示すメインメニュー画面６４のメニューボタン６５の「圃場分析」を選択して、図９（ａ）に図示する分析画面９１を表示し、分析を開始する。
【００４３】
分析は、先ずステップＳ２３で、分析画面９１の左下部分設けられたグラフ表示メニュー９２の条件設定ボックス内にグラフ表示条件を設定する。ボックス９２ａでは、グラフに表示する値、すなわち、出来高、販売高、購買高のいずれかを選択する。また、ボックス９２ｂでは、グラフ表示対象、すなわち、組合員、圃場のいずれかを選択する。ボックス９２ｃでは、作付けした品種、例えば水稲、大麦、大根、ジャガイモなどの種名称を選択する。ボックス９２ｄにチェックを指示すると、過去３年間のグラフを表示する。
【００４４】
なお、分析画面９１の地図画面上において、９３ａは組合員宅の位置を示し、９３ｂ、９３ｃは圃場を示している。また、同図の右側部分には、地図画面上で指定された組合員９３ａについての組合員情報欄９４が表示されている。この組合員情報欄には、例えば、組合員コード、氏名、住所、電話、所有圃場数、総面積９４ａ等が表形式で表示されている。また、この組合員情報欄９４には、毎年の出来高、販売高、購買高が表示された集計表９４ｂが含まれている。さらに、この組合員情報欄９４には、指定された組合員９３ａについての詳細な履歴データを表示するためのボタン９４ｃが表示されている。この詳細な履歴データは、図４に示すデータベース記憶部１４に蓄積され組合員データ等である。
【００４５】
上述の設定を終了した後、「表示」ボタン９２ｅをクリックすると、ステップＳ２４で、図９（ｂ）に示す分析画面９５が表示される。この分析画面９５には、組合員別、あるいは、圃場別の出来高、販売高、あるいは購買高が、例えば、過去３年間の推移を示す棒グラフ９７ａ、９７ｂにより表示される。この棒グラフ９７ａ、９７ｂでは、指定された特定の品種についてのみの表示を行うが、全品種の合計で表示することもできる。また、品種のほか、収穫時期、圃場の土壌の種類等の類似する条件を特定し、棒グラフとして表示する。
【００４６】
このように、分析画面９５には、一定の地域に存在する複数の組合員毎あるいは圃場毎の生産高を示す棒グラフが表示されるため、ステップＳ２５において、組合員毎、あるいは圃場毎の生産高の比較を視覚的に容易に行うことができる。この結果、生産高が最も高い組合員あるいは圃場と、生産高が低い組合員あるいは圃場とを抽出することができる。図１０（ａ）は、生産高が最も高い圃場１０１を指定した分析画面９５であり、図１０（ｂ）は、生産高が低い圃場１０２を指定した分析画面９５である。なお、分析画面９５には、また、地図画面上で指定された圃場１０１についての圃場情報欄９８が表示されている。この圃場情報欄９８には、例えば、組合員コード、圃場番号９８ａ、名称９８ｂ、住所、面積、土壌名９８ｃ、作付け品種９８ｄ等が表形式で表示されている。また、この圃場情報欄９８には、毎年の出来高、販売高、購買高が表示された集計表９８ｅが含まれている。さらに、この圃場情報欄９８には、指定された圃場１０１についての詳細な履歴データを表示するためのボタン９８ｆが表示されている。この圃場１０１についての詳細な履歴データは、図４に示すデータベース記憶部１４に蓄積され組合員データ４１および圃場データ４４等である。
【００４７】
次に、図４のステップＳ２６で、図１０（ａ）（ｂ）において指定された生産高が最も高い圃場１０１と低い圃場１０２について、履歴データを表示するためのボタン９８ｆを押して、図１０（ｃ）、（ｄ）に示すそれぞれの詳細な履歴データ１０３、１０４を表示モニタ２３の画面に表示し、あるいはプリンタ２４により印刷出力する。
【００４８】
ステップＳ２７では、生産高が最も高い圃場１０１と低い圃場１０２について、それぞれの詳細な履歴データ１０３、１０４を比較することにより、それらの相違点を発見することにより営農指導員による経営分析が行われる。例えば訪問指導や巡回の詳細な履歴データ１０３、１０４における、供給物欄１０５ａ、１０５ｂ及び種類欄１０６ａ、１０６ｂから指導した肥料の種類を、金額欄１０７ａ、１０７ｂから供給した数量を、また訪問日１０８ａ、１０８ｂから施肥時期を比較して、相違が発見されたとすると、生産高が最も高い圃場１０１における肥料の種類、分量、施肥時期を、生産高が低い圃場１０２を耕作する組合員が改善すべき事項として抽出する。この分析結果は、データベース記憶部１４の分析結果３４に蓄積する。
【００４９】
図４のステップＳ２８で、営農指導員は抽出された改善事項を考慮した経営計画を策定し、ステップＳ２９で、生産高が低い圃場１０２を耕作する組合員に対して経営指導を行う。これによって、一連の経営分析とそれに基づく指導を終了する。
【００５０】
以上説明した本発明の実施形態によれば、経営分析に用いるデータは、営農指導員が日々行う組合員宅への訪問、指導活動の実施記録という形式でデータベースに蓄積されるため、分析のために新たに情報収集を行う手数を省くことができ、効率的に分析を行うことができる。
【００５１】
また、これ等のデータ入力方式は、キー入力によるリスト形式と地図画面で入力するＧＵＩ形式が併用されるため、入力が容易にできる。
【００５２】
さらに本実施形態による経営分析支援システムでは、地図画面上に過去の生産・収穫高等のグラフ表示を行うので、一定地域内の全ての組合員毎あるいは圃場毎の生産高比較を視覚的に容易に行うことができる。
【００５３】
さらに、地図画面上に生産高が表示されるので、圃場の場所的な特性に関連する分析も行うことができる。
【００５４】
さらに、地図画面の組合員居宅マーク或いは圃場域を指定すると、それ等の詳細データを表示できるので、地図画面で視覚的な差異を認知して、データによりその詳細を確認することができる。
【００５５】
なお、本発明は上述した実施形態に限定されるものではなく、種々の変形が可能である。例えば、上述した経営分析支援システムでは、スタンドアロンシステムを用いたが、コンピュータ本体１０をサーバーコンピュータとし、データベース記憶部１４がサーバーがアクセスできるデータベースとするインターネットウェブ構成によっても、同様の効果を得ることができることは言うまでもない。
【００５６】
また、本発明の経営分析支援システムは、農業に限らず、畜産業、林業、あるいは一定地域において同業者により経営される各種の事業についての経営分析に応用することができる。
【図面の簡単な説明】
【００５７】
【図１】本発明の一実施形態を示すシステム構成図。
【図２】本実施形態の記憶装置部に構築されるデータベース構成模式図。
【図３】本実施形態の処理手順を示す図。
【図４】本実施形態による履歴・実績入力、及び各種分析のフローチャート。
【図５】本実施形態のサイトマップ（メニュー系譜）を示す図。
【図６】本実施形態のログイン画面とメインメニュー画面の例。
【図７】本実施形態の一覧表画面表示と地図画面表示の例。
【図８】本実施形態の「訪問予定」の入力操作を示す図。
【図９】本実施形態の分析画面表示の例。
【図１０】本実施形態の分析画面表示結果を利用した分析比較評価の例。
【符号の説明】
【００５８】
１０・・・処理コンピュータ本体、
１１・・・中央処理、
１２・・・システムバス、
１３・・・処理プログラム部、
１３ａ・・・ＯＳ（Ｏｐｅｒａｔｉｎｇ Ｓｙｓｔｅｍ）、
１３ｂ・・・アプリケーションプログラムの地図システム、
１３ｃ・・・アプリケーションプログラムの管理分析システム、
１４・・・データベース記憶部、
１５・・・グラフィック処理部、
１６・・・出力インターフェース、
２１・・・キーボード、
２２・・・マウス、
２３・・・表示モニタ、
２４・・・プリンタ、
３１・・・地図表示データ、
３２・・・緯度経度データ・大字小字データ、
３３・・・分析ツールデータ、
３４・・・分析結果データ、
４１・・・組合員データ、
４２・・・職員データ、
４３・・・圃場データ、
４４・・・土壌データ、
４５・・・品種データ、
４６・・・共同管理資料、
６１・・・ログイン画面、
６２・・・ユーザＩＤ、
６３・・・パスワード、
６４・・・メインメニュー画面、
６５・・・メインメニューボタン、
６６・・・組合員検索、
７１・・・一覧表画面、
７２・・・地図画面、
７４ａ、７４ｂ・・・組合員宅マーク、
７５ａ、７５ｂ・・・圃場マーク、
７６・・・地図アイコン、
７７・・・登録アイコン、
８１，８２，８３・・・入力画面、
８４・・・一覧表画面、
８５ａ、８５ｂ、８５ｃ・・・組合員居宅マーク、
８６ａ、８６ｂ、８６ｃ・・・登録ウィンドウ
８７・・・訪問一覧表、
８８・・・登録マーク、
８９・・・「訪問予定」、
９１、９５・・・分析画面
９２、９６・・・グラフ表示メニュー、
９２ａ、９６ａ、９２ｂ、９６ｂ、９２ｃ、９６ｃ、９２ｄ、９６ｄ・・・ボックス
９２ｅ、９６ｅ・・・「表示」ボタン、
９３ａ・・・（組合員）居宅マーク、
９３ｂ、９３ｃ・・・圃場の区画、
９４・・・組合員情報欄、
９４ａ・・・総面積、
９４ｂ、９８ｅ・・・集計表、
９４ｃ・・・履歴データ表示ボタン、
９６，９９・・・履歴データ、
９８ｅ・・・収穫額など
９７ａ、９７ｂ・・・棒グラフ、
９８・・・圃場情報欄、
９８ａ・・・圃場の番号、
９８ｂ・・・圃場の名称、
９８ｃ・・・圃場の土壌名、
９８ｄ・・・作付け品種、
９８ｆ・・・履歴データを表示するボタン
１０１・・・生産高の高い圃場、
１０２・・・生産高が低い圃場、
１０５ａ、１０５ｂ・・・供給物欄、
１０６ａ、１０６ｂ・・・種類欄、
１０７ａ、１０７ｂ・・・金額欄、
１０８ａ、１０８ｂ・・・訪問日。
【図１】
2006277321.tif 000003
【図２】
2006277321.tif 000004
【図３】
2006277321.tif 000005
【図４】
2006277321.tif 000006
【図５】
2006277321.tif 000007
【図６】
2006277321.tif 000008
【図７】
2006277321.tif 000009
【図８】
2006277321.tif 000010
【図９】
2006277321.tif 000011
【図１０】
2006277321.tif 000012